(57)【特許請求の範囲】
【請求項１】
ディジタルデータの暗号化を行うデータ処理装置と、このデータ処理部からの暗号化データを記録媒体に記録するデータ記録装置とを有するデータ記録再生システムであって、
上記データ記録装置は、
上記ディジタルデータの記録毎にそれぞれ独立の記録識別情報を生成する手段と、
上記記録識別情報を第１の暗号化手段により暗号化して、データ処理装置に送信する送信手段と、
上記記録媒体に固有の記録媒体識別情報を用いて、上記記録識別情報を第２の暗号化演算により暗号化すると共に、上記データ処理装置から送られてくるデータを第３の暗号化演算により暗号化する暗号化データ生成手段と、
上記暗号化データと上記記録識別情報とを上記記録媒体に記録する手段とを有し、
上記データ処理装置は、
上記データ記録装置から送信された、第１の暗号化手段により暗号化された記録識別情報を受信する受信手段と、
上記第１の暗号化手段に対応する復号手段により、上記暗号化された記録識別情報を復号する復号手段と、
上記データ記録装置の送信手段から送信された上記復号手段により復号された記録識別情報を用いて入力データを第４の暗号化演算により暗号化し、上記データ記録装置に送信する送信手段とを有する
データ記録再生システム。
【発明の詳細な説明】
【０００１】
本発明は、データ記録再生システムに関し、特に、ディスク状記録媒体における不正なディスクコピーを防止するのに好適なデータ記録再生システムに関するものである。
【０００２】
【従来の技術】
ディスク等の記録媒体に記録されたディジタルコンテンツデータ等のデータを他の記録媒体にコピーすることは、著作権の保護等を勘案して、自由にあるいは制限付きで行えたり、完全に禁止される場合があるが、制限付きコピーやコピー禁止の場合には、何らかのデータ保護対策が必要とされる。ここで、上記コンテンツデータには、例えば、音楽、映像、プログラムやテキスト等の著作物が挙げられる。また、ディスク等の記録媒体のコピーを防ぐ方法としては、記録媒体の識別情報（ＩＤ）を用いてコンテンツやコンテンツ鍵を暗号化する方法等が提案されている。
【０００３】
【発明が解決しようとする課題】
ところで、記録すべきコンテンツデータを処理するデータ処理部と、データをディスク等の記録媒体に記録する記録部とが、同一装置内、同一基板上あるいは同一チップ内で一体化されている場合には、お互いのインターフェースから外部にデータが出なければディスクコピーを防止することができる。
【０００４】
しかしながら、データ処理部と記録部とが個別の装置に分離されて設けられ、これらの装置間を例えば一般的なインターフェースで接続した場合は、インターフェース間で伝送されるデータを外部に取り出すことができ、データコピーやディスクコピーが可能となる。
【０００５】
また、データ処理部と記録部とが同一の装置内、あるいは同一の基板上に設けられている場合でも、データ処理部と記録部との間のデータ線の信号をモニタする等により、データコピーやディスクコピーが行われる可能性も存在する。
【０００６】
本発明は、上述の問題点に鑑みてなされたものであって、データ処理部と記録部との間で伝送される信号をモニタされた場合に、データ解読が困難で、データコピーやディスクコピーを防止でき、有効なデータ保護が図れるようなデータ記録再生システムを提供することを目的とする。
【０００８】
【課題を解決するための手段】
本発明にかかるデータ記録再生システムは、上述の課題を解決するために、ディジタルデータの暗号化を行うデータ処理装置と、このデータ処理部からの暗号化データを記録媒体に記録するデータ記録装置とを有するデータ記録再生システムであって、上記データ記録装置は、上記ディジタルデータの記録毎にそれぞれ独立の記録識別情報を生成する手段と、上記記録識別情報を第１の暗号化手段により暗号化して、データ処理装置に送信する送信手段と、上記記録媒体に固有の記録媒体識別情報を用いて、上記記録識別情報を第２の暗号化演算により暗号化すると共に、上記データ処理装置から送られてくるデータを第３の暗号化演算により暗号化する暗号化データ生成手段と、上記暗号化データと上記記録識別情報とを上記記録媒体に記録する手段とを有し、上記データ処理装置は、上記データ記録装置から送信された、第１の暗号化手段により暗号化された記録識別情報を受信する受信手段と、上記第１の暗号化手段に対応する復号手段により、上記暗号化された記録識別情報を復号する復号手段と、上記データ記録装置の送信手段から送信された上記復号手段により復号された記録識別情報を用いて入力データを第４の暗号化演算により暗号化し、上記データ記録装置に送信する送信手段とを有するデータ記録再生システム。
【０００９】
ここで、上記暗号化データ及び上記記録識別情報を、上記記録媒体に固有の記録媒体識別情報を用いて暗号化し、上記記録媒体に記録することが挙げられる。
【００１０】
上記記録媒体に記録された上記暗号化データ及び上記記録識別情報を読み出して、上記記録識別情報を用いて上記暗号化データを復号することにより、元のデータを得る。
【００１１】
【発明の実施の形態】
以下、本発明の実施の形態について、図面を参照しながら説明する。
図１は、本発明の実施の形態となるデータ記録再生システムの一例として、ディスク記録再生装置１０と、このディスク記録装置１０に接続される機器の一例としてのパーソナルコンピュータ等のデータ処理再生装置１００とから成るシステムの概略構成を示す図である。
【００１２】
この図１において、ディスク記録再生装置１０は、着脱可能な追記型光ディスクや、書き換えが可能な光磁気ディスクや相変化型ディスク等の記録媒体であるディスク３０を回転駆動するスピンドルモータ１１と、ディスク３０に対してレーザ光を照射すると共にその戻り光を受光する光学ピックアップ１２と、光学ピックアップ１２のレーザダイオード等のレーザ光源を駆動するレーザドライバ１３と、光学ピックアップ１２から出力された信号を検出する信号検出部１４と、レーザドライバ１３への信号の変調や信号検出部１４からの信号の復調を行う変復調部１５と、データを一時記憶するバッファメモリ１６と、調停部１７と、エラー訂正符号化／復号処理を行うＥＣＣ（Error Correction Code） 部１８と、パーソナルコンピュータ等のデータ処理装置１００との間でデータを入出力するＩ／Ｆ（インターフェース）部１９と、データ記録の度毎に異なる記録ＩＤ（識別情報）を生成する記録ＩＤ生成部２０とを有して構成されている。調停部１７は、バッファメモリ１６と、変復調部１５、ＥＣＣ部１８及びＩ／Ｆ部１９との間のデータ入出力を調停し、記録ＩＤ生成部２０からの記録ＩＤは、ＥＣＣ部１８に送られ、また、外部のデータ処理装置１００にも送られる。
【００１３】
スピンドルモータ１１は、図示しないサーボ回路の制御の下に、ディスク３０を一定線速度で、あるいは一定角速度で回転駆動する。
【００１４】
光学ピックアップ１２は、ディスク３０に対するデータの記録時には、レーザドライバ１３により駆動された図示しないレーザ光源からのレーザ光を対物レンズ等の光学系を介してディスク３０上に照射して、データを記録する。また、光学ピックアップ１２は、ディスク３０に記録されているデータの再生時には、図示しないレーザ光源からのレーザ光を光学系を介してディスク３０上に照射すると共に、ディスク３０の表面で反射回折された戻り光を図示しないフォトダイオード等の光検出素子で受光して電気信号に変換して出力する。
【００１５】
このような光学ピックアップ１２によりディスク３０に対してデータを記録／再生する際には、受光した戻り光の検出信号に基づいて、トラッキング制御やフォーカス制御を行うことは勿論である。
【００１６】
また、このようなディスク記録再生装置１０に接続されるパーソナルコンピュータ等のデータ処理装置１００は、ディスク記録再生装置１０との間でデータの入出力を行うためのＩ／Ｆ（インターフェース）部１０１と、データの暗号化及び復号（暗号解読）を行う暗号化部１０２と、各種データ処理を行うためのデータ処理部１０３と、外部との間でデータの入出力を行うためのＩ／Ｏ（入出力インターフェース）部１０４とを有し、ディスク記録再生装置１０の記録ＩＤ生成部２０からの記録ＩＤが暗号化部１０２に供給されている。データ処理部１０３に対して、暗号化部１０２との間、Ｉ／Ｏ部１０４との間でそれぞれデータの送受が行われ、暗号化部１０２からのデータがＩ／Ｆ部１０１に、Ｉ／Ｆ部１０１からのデータが暗号化部１０２に送られる。
【００１７】
次に、図１の構成における動作について説明する。
外部接続機器であるパーソナルコンピュータ等のデータ処理装置１００からのデータをディスク３０に記録する際には、データ処理装置１００のデータ処理部１０３からのデータを暗号化部１０２に送って、上記記録ＩＤを用いて暗号化し、Ｉ／Ｆ部１０１を介してディスク記録再生装置１０に暗号化データを送る。
【００１８】
ディスク記録再生装置１０では、データ処理装置１００からの暗号化データをＩ／Ｆ部１９を介して受信して調停部１７に送り、必要に応じてバッファメモリ１６に一時記憶して、調停部１７を介してＥＣＣ部１８に送る。ＥＣＣ部１８では、記録すべきデータに対してエラー訂正符号化が施され、記録ＩＤ生成部２０からの記録ＩＤと共に、後述するようなディスクＩＤを用いて暗号化が施された後、バッファメモリ１６に送って一時記憶する。変復調部１５は、調停部１７を介してバッファメモリ１６から所定のブロック単位で記録すべきデータを読み出し、同期信号等のヘッダ部やその他の付加情報を付加した所定の記録フォーマットのデータを変調し、レーザドライバ１３に供給する。レーザドライバ１３は、変復調部１５から供給されるデータに基づいて、光学ピックアップ１２のレーザ光源を駆動し、ディスク３０に対してデータを記録する。
【００１９】
ディスク３０に記録されたデータを再生する際には、光学ピックアップ１２は、ディスク３０からの戻り光を受光して得られた信号を信号検出部１４に送り、信号検出部１４では、光学ピックアップ１２からのＲＦ信号からクロックを再生し、このクロックを基準としてデータ信号を検出し、検出されたデータ信号を変復調部１５に送る。変復調部１５は、信号検出部１４にて検出されたデータ信号を復調し、復調されたデータを調停部１７を介してバッファメモリ１６に供給する。バッファメモリ１６は、変復調部１５により復調されたデータを一時記憶し、調停部１７を介してＥＣＣ部１８に送る。ＥＣＣ部１８では、誤り訂正処理と共に後述するようなディスクＩＤを用いた暗号の復号処理が施され、誤り訂正処理されたデータは、調停部１７を介してバッファメモリ１６に一時記憶され、調停部１７を介して、Ｉ／Ｆ部１９に所定順序で読み出される。また、ＥＣＣ部１８では、後述するようなディスクＩＤを用いて復号された上記記録ＩＤが取り出される。
【００２０】
データ処理装置１００には、Ｉ／Ｆ部１９からの上記記録ＩＤにより暗号化されたデータがＩ／Ｆ部１０１を介して暗号化部１０２に送られ、また、ＥＣＣ部１８で復号された上記記録ＩＤが暗号化部１０２に供給される。暗号化部１０２では、Ｉ／Ｆ部１０１からの上記暗号化されたデータを、上記記録ＩＤにより復号（暗号解読）し、データ処理部１０３に供給する。
【００２１】
ここで、上記記録ＩＤとは、記録ファイル（記録内容）に対する固有の識別情報であり、より具体的には、データファイル等を記録する毎に更新され、各記録動作に対して固有の識別情報である。従って、ディスク装置が同じでも、同じディスクに対しても、記録が異なれば異なる記録ＩＤとなる。この記録ＩＤは、例えば乱数発生器等により発生された乱数に基づいて生成すればよい。また、上記ディスクＩＤとは、ディスクに対して固有の識別情報であり、他のディスクとの区別をつけるためにディスクの１枚毎に異なるものである。このディスクＩＤも、乱数等に基づいて生成することができる。この他、必要に応じて種々の識別情報を用いて、暗号化の鍵や認証等に用いることができ、例えば、符号化単位や記録単位となるブロック毎に固有のブロックＩＤ、ディスク記録再生装置毎に固有のドライバ（駆動装置）ＩＤ等が挙げられるが、本発明の実施の形態では、説明を簡略化するために、上記記録ＩＤ及びディスクＩＤを用いる場合について例示している。
【００２２】
次に、図２〜図５を参照しながら、暗号化データの記録再生動作やコピー防止動作について説明する。
先ず、図２は暗号化データをディスク記録再生装置１０_0で記録して得られたディスク３０_0を、他のディスク記録再生装置１０_1で再生する場合を示している。
【００２３】
この図２において、データ処理装置１００_0は、外部から供給されたユーザデータｕ_0に対して、記録ＩＤ wID_0を用いた鍵により暗号化演算v() を施して、暗号化ユーザデータv(u_0,wID_0)を得る。記録ＩＤ wID_0は、ディスク記録再生装置１０_0から得られるが、この記録ＩＤ wID_0を伝送する際には、暗号化演算j() を施して、暗号化された記録ＩＤデータ j(wID_0) として伝送している。データ処理装置１００_0では、この暗号化された記録ＩＤデータ j(wID_0) に対して復号演算j-1() を施して、記録ＩＤ wID_0を取得している。
【００２４】
このような、データ伝送の際の暗号化等も考慮したディスク記録再生装置１０及びデータ処理装置１００の具体的な構成例を図３に示す。
【００２５】
この図３のディスク記録再生装置１０、及びデータ処理装置１００は、図２のディスク記録再生装置１０_0，１０_1、及びデータ処理装置１００_0，１００_1としてそれぞれ用いられるものである。
【００２６】
この図３において、ディスク記録再生装置１０の記録ＩＤ生成部２０からの記録ＩＤ wIDは、暗号化部２１で暗号化演算j() が施されて暗号化された記録ＩＤデータとされ、この暗号化記録ＩＤデータが、具体的には上記Ｉ／Ｆ（インターフェース）部１９、１０１を介して、データ処理装置１００の復号部２２に送られている。復号部２２では、入力された暗号化記録ＩＤデータに対して復号演算j-1() が施されることによって、元の記録ＩＤ wIDが得られ、これが暗号化部１０２に送られて、上述したユーザデータの暗号化処理が施される。また、ディスク記録再生装置１０のディスクＩＤ生成部２３からは後述するディスクＩＤ dIDが生成され、これがＥＣＣ部１８に設けられた暗号化部２４に送られる。また、暗号化部２４には、記録ＩＤ生成部２０からの記録ＩＤ wID_0も送られる。なお、他の構成は、上述した図１のディスク記録再生装置１０、データ処理装置１００と同様であるため、対応する部分に同じ指示符号を付して説明を省略する。
【００２７】
図２のデータ処理装置１００_0において、上述したようにユーザデータｕ_0が記録ＩＤ wID_0を用いた鍵により暗号化されることによって得られた上記暗号化ユーザデータv(u_0,wID_0)は、図３のＩ／Ｆ部１０１を介してディスク記録再生装置１０（図２のディスク記録再生装置１０_0）に送られ、Ｉ／Ｆ部１９を介し、調停部１７を介してバッファメモリ１６に一時的に蓄えられ、調停部１７を介して暗号化部２４に送られる。この暗号化部２４では、ディスクＩＤ生成部２３においてディスク３０に対応して生成されるディスク固有のディスクＩＤ dIDを用いて、上記記録ＩＤ及び上記暗号化をそれぞれ暗号化する。すなわち、図２に示すように、ディスク３０_0に対応して生成される固有のディスクＩＤ dID_0を用い、記録ＩＤ wID_0に対しては、暗号化演算f() を施して暗号化データf(wID_0,dID_0)を生成し、暗号化ユーザデータv(u_0,wID_0)に対しては、暗号化演算e() を施して暗号化データe(v(),dID_0)を生成している。なお、v() は、上記暗号化データv(u_0,wID_0)を略記したものであり、上記ユーザデータｕ_0は、記録ＩＤ wID_0と、ディスクＩＤ dID_0とで２重に暗号化されることになる。さらに、暗号化演算e() の際には、必要に応じて、記録単位となるブロック毎の識別情報であるブロックＩＤを上記ディスクＩＤ dIDと共に用いた鍵によって暗号化するようにしてもよい。
【００２８】
ディスク３０_0上には、上記暗号化データであるf(wID_0,dID_0)及びe(v(),dID_0)が記録され、また、上記ディスクＩＤ dID_0がディスク３０_0上の所定領域に記録される。
【００２９】
次に、記録時のディスク記録再生装置１０_0とは異なるディスク記録再生装置１０_1により上記ディスク３０_0を再生する場合について説明する。
【００３０】
ディスク記録再生装置１０_1は、上記ディスク３０_0より、上記暗号化データe(v(),dID_0)及びf(wID_0,dID_0)を再生し、またディスク３０_0上の所定領域から上記ディスクＩＤ dID_0を再生する。ディスク記録再生装置１０_1内では、再生された上記暗号化データe(v(),dID_0)及びf(wID_0,dID_0)を、それぞれ上記ディスクＩＤ dID_0を用いて復号（暗号解読）することにより、暗号化ユーザデータv(u_0,wID_0)及び記録ＩＤ wID_0を得る。暗号化ユーザデータv(u_0,wID_0)については、上記Ｉ／Ｆを介してデータ処理装置１００_1に送り、記録ＩＤ wID_0については、暗号化演算j() を施して、暗号化された記録ＩＤデータ j(wID_0) をデータ処理装置１００_1に送る。
【００３１】
データ処理装置１００_1では、暗号化された記録ＩＤデータ j(wID_0) に対し復号演算j-1() を施して記録ＩＤ wID_0を求め、この記録ＩＤ wID_0を用いて、ディスク記録再生装置１０_1からの暗号化ユーザデータv(u_0,wID_0)を復号（暗号解読）することにより、ユーザデータｕ_0を取り出している。
【００３２】
以上のような実施の形態によれば、ディスクＩＤ dIDと記録ＩＤ wIDとは無関係とすることができるため、ディスク記録再生装置１０とデータ処理装置１００との間以外に、ディスクＩＤ dIDや記録ＩＤ wIDが外部に漏洩することを防止できる。また、ディスク記録再生装置１０は、ユーザデータの暗号化演算v() を知らなくてよい。従って、ディスク記録再生装置１０とデータ処理装置１００との間のインターフェースと、ディスク記録再生装置１０においてディスク３０に対するデータの記録再生とについての各セキュリティを独立させることができる。
【００３３】
次に、図４は、コピー保護（コピープロテクト）が不要のため、暗号化を施さない場合の例を示している。これは、著作権等を考慮しなくてよいユーザデータについて、上述したような暗号化を施さないでディスクに記録し、このディスクを他のディスク記録再生装置で再生する場合の例である。
【００３４】
すなわち、図４において、データ処理装置１００_0に供給されたユーザデータｕ_0は、そのまま（暗号化されずに）ディスク記録再生装置１０_0に送られ、ディスク記録再生装置１９_0内でも暗号化が施されずに記録信号に変換されて、ディスク３０_0に記録される。このディスク３０_0を他のディスク記録再生装置１０_1で再生して、得られたユーザデータｕ_0をデータ処理装置１００_1に送っている。このように暗号化を施さない場合には、ディスク３０_0を複製（いわゆるディスクコピー）することも可能である。
【００３５】
次に、図５は、上述したような記録ＩＤを用いた暗号化を施すことによりディスクコピー防止することを説明するための図である。
【００３６】
この図５において、データ処理装置１００_0、１００_1、及びディスク記録再生装置１０_0、１０_1は、上述した図２と共に説明した具体例と同様であるため、図中の対応する部分に同じ指示符号を付して説明を省略する。ただし、この図５の具体例では、データ記録再生装置１０_1からの上記暗号化ユーザデータv(u_0,wID_0)を、他のディスク記録再生装置１０_2に送って、他のディスク３０_2に記録するようにしている。
【００３７】
すなわち、ディスク記録再生装置１０_1は、ディスク３０_0を再生することで上記暗号化データf(wID_0,dID_0)及びe(v(),dID_0)を得、ディスク３０_0の所定位置に書き込まれた上記ディスクＩＤ dID_0を用いて復号（暗号解読）することにより、暗号化ユーザデータv(u_0,wID_0)及び記録ＩＤ wID_0を得る。これらの内暗号化ユーザデータv(u_0,wID_0)を、そのまま他のディスク記録再生装置１０_2に送って、他のディスク３０_2に記録する。ディスク記録再生装置１０_2は、ディスク３０_2に対応するディスクＩＤ dID_2を発生してディスク３０_2の所定位置に記録すると共に、データ記録の際に記録ＩＤ wID_2を発生し、この記録ＩＤ wID_2と上記暗号化ユーザデータv(u_0,wID_0)とを、ディスクＩＤ dID_2を用いた鍵によりを暗号化し、得られた暗号化データe(v(),dID_2)及びf(wID_2,dID_2)をディスク３０_2に記録する。
【００３８】
このディスク３０_2を、ディスク記録再生装置１０_3で再生する場合には、上記ディスク記録再生装置１０_2に記録された暗号化データe(v(),dID_2)及びf(wID_2,dID_2)が再生されてディスク記録再生装置１０_3に送られる。ディスク記録再生装置１０_3では、ディスク３０_2の所定位置に記録されたディスクＩＤ dID_2を読み取って、このディスクＩＤ dID_2を暗号鍵として用いることにより、上記暗号化データe(v(),dID_2)及びf(wID_2,dID_2)の復号（暗号解読）を行う。これにより、上記コピーされた暗号化ユーザデータv(u_0,wID_0)と、こ暗号化ユーザデータv(u_0,wID_0)をディスク３０_2で記録した際の記録ＩＤ wID_2が復元され、暗号化ユーザデータv(u_0,wID_0)はそのまま、記録ＩＤ wID_2は暗号化演算j() が施されて、それぞれデータ処理装置１００_3に送られる。データ処理装置１００_3では、暗号化された記録ＩＤj(wID_2)に対して復号演算j-1() を施して記録ＩＤ wID_2を求め、この記録ＩＤ wID_2を用いてディスク記録再生装置１０_3からの暗号化ユーザデータv(u_0,wID_0)を復号（暗号解読）しようとするが、暗号化ユーザデータv(u_0,wID_0)は記録ＩＤ wID_0を鍵として用いて暗号化されたものであるため、暗号化ユーザデータv(u_0,wID_0)を復号して元のユーザデータｕ_0を得ることができない。
【００３９】
すなわち、データ処理装置１００_3においては、記録ＩＤ wID_2が返されたが、暗号化ユーザデータv(u_0,wID_0)は記録ＩＤ wID_0により暗号化されており、その矛盾から不正にディスクコピーされたことが分かる。また、暗号化ユーザデータv(u_0,wID_0)は記録ＩＤ wID_2では復号されないため、元のユーザデータｕ_0を得ることはできない。
【００４０】
なお、上記ディスクコピーの際に、元の記録を行ったディスク記録再生装置１０_0を用いて、ディスク記録再生装置１０_1からの再生データをそのまま記録することも考えられるが、記録（コピー）の際に新たな記録ＩＤが生成され、この記録ＩＤは上記元の記録時の記録ＩＤ wID_0とは異なるものとなり、この場合も復号が行えないことになる。
【００４１】
次に、図６は、ディスクコピー保護の他の例を示し、ディスクコピーの際にディスクＩＤを用いた暗号化を施さずに記録を行う場合を示している。
【００４２】
この図６の例では、図５と共に説明したディスク記録再生装置１０_1からの再生データである暗号化ユーザデータv(u_0,wID_0)をディスク記録再生装置１０_2でディスク３０_2に記録（コピー）する際に、上述したようなディスクＩＤを用いた暗号化を行わず、そのまま記録している。
【００４３】
このような記録が行われたディスク１０_2を、ディスク記録再生装置１０_3で再生する際には、上記暗号化ユーザデータv(u_0,wID_0)のみが再生されて、そのまま（復号されずに）データ処理装置１００_3に送られる。このデータ処理装置１００_3には、暗号化の鍵、すなわち上記記録ＩＤ wID_0が無く、復号（暗号解読）は行われず、暗号化ユーザデータv(u_0,wID_0)をそのまま出力することになり、元のユーザデータｕ_0を得ることができない。
【００４４】
すなわち、暗号化を施さないでディスクコピーした場合に、データ処理装置では、復号のための鍵である記録ＩＤが返されないにも拘わらず、暗号化ユーザデータv(u_0,wID_0)が返されることから、矛盾が生じ、不正なディスクコピーがなされたことが分かる。また、暗号化ユーザデータv(u_0,wID_0)を復号するための鍵である記録ＩＤ wID_0が得られないため、ユーザデータｕ_0を得ることはできない。
【００４５】
このように、記録ＩＤを用いて暗号化されたユーザデータが記録されたディスクを複製（いわゆるディスクコピー）して得られたディスクの場合には、再生時に不正コピーであることが判別でき、また、暗号化ユーザデータを復号することができず、元のユーザデータを得ることができない。
【００４６】
なお、本発明は、上述した実施の形態のみに限定されるものではなく、例えば上記実施の形態では、データ処理装置とディスク記録再生装置とを個別の装置として説明したが、同一筐体内の別基板、あるいは同一基板上の別回路部としたデータ処理部とデータ記録再生部の場合にも適用できる。また、記録媒体は、ディスク状記録媒体に限定されず、カード状やテープ状の記録媒体等にも適用できる。また、ユーザデータとしては、暗号化されていない平文のデータを用いてもよいが、既に他の暗号鍵により暗号化されているデータを用いてもよい。さらに、上記記録ＩＤのみならず、ディスク等の記録媒体毎に固有の記録媒体ＩＤ（ディスクＩＤ等）や、符号化単位あるいは記録単位となるブロック（セクタ、フレーム等）毎に異なるブロックＩＤを用いるようにしてもよく、この場合、これらの記録ＩＤ、ディスクＩＤ、ブロックＩＤを生成するための乱数発生器等を共通化するようにしてもよい。この他、本発明の要旨を逸脱しない範囲において種々の変更が可能であることは勿論である。
【００４７】
【発明の効果】
本発明にかかるデータ記録方法によれば、ディジタルデータの記録毎にそれぞれ独立の記録識別情報を生成し、この生成された記録識別情報を用いて入力データを暗号化し、少なくともこの暗号化されて得られた暗号化データと記録識別情報とを記録媒体に記録することにより、記録毎に固有の記録識別情報を用いた暗号化が施されるため、記録媒体からの再生データをそのままコピーしてもデータ解読（暗号化の復号）が行えず、コピー防止が有効に行える。
【００４８】
また、上記ディジタルデータの暗号化を行うデータ処理部と上記記録媒体にデータを記録するデータ記録部とを分離して設けた場合に、データ処理部とデータ記録部との間のデータをモニタされても、データ解読が行えず、不正コピーの防止が有効に行える。
【図面の簡単な説明】
【図１】本発明の実施の形態が適用されるディスク記録再生装置及びデータ処理装置の概略構成を示すブロック図である。
【図２】暗号化データを記録したディスクを他のディスク記録再生装置で再生する場合を説明するための図である。
【図３】本発明の実施の形態が適用されるディスク記録再生装置及びデータ処理装置の具体的な構成の一例を示すブロック図である。
【図４】データを暗号化しないで記録したディスクを他のディスク記録再生装置で再生する場合を説明するための図である。
【図５】暗号化データを記録したディスクをコピーしたディスクを再生する場合の一例を説明するための図である。
【図６】暗号化データを記録したディスクをコピーしたディスクを再生する場合の他の例を説明するための図である。
【符号の説明】
１０  ディスク記録再生装置、  １５  変復調部、  １６  バッファメモリ、１７  調停部、  １８  ＥＣＣ部、  １９，１０１  Ｉ／Ｆ（インターフェース）部、  ２０  記録ＩＤ生成部、  ２１，１０２  暗号化部、  ２２  復号部、  １００  データ処理装置、  １０３  データ処理部
【図１】
0004211174.tif 000002
【図２】
0004211174.tif 000003
【図３】
0004211174.tif 000004
【図４】
0004211174.tif 000005
【図５】
0004211174.tif 000006
【図６】
0004211174.tif 000007